Podtech/llm-jp-corpus-v4-ja_patent huggingface dataset:
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
外枠と、該外枠の前面に開閉可能に設けられた前面枠と、該前面枠の前面に設けられ、前記前面枠と同一方向に開閉可能の意匠枠とを備え、前記前面枠の開放端に設けられた施錠装置により前記外枠と前記前面枠の開放端、および前記前面枠と前記意匠枠の開放端とをそれぞれ個別に施錠、開錠可能の弾球遊技機において、
前記施錠装置は、前記意匠枠の開放端に係脱可能に係合せしめて意匠枠を施錠するフックと、
前記外枠に係脱可能に係合せしめて前面枠を施錠するフックと、
前記前面枠の開放端に沿って上下方向に作動可能に設けられ、上方又は下方のいずれか一方の作動方向に作動せしめて前記意匠枠を施錠するフックの係合を解除せしめる一方、前記一方の作動方向とは逆方向に作動して前記前面枠を施錠するフックの係合を解除せしめる作動部材と、を有し、
前記作動部材を支持する前記施錠装置のベース部又は前記外枠の上下の所定位置それぞれに間隔をおいて設けられ、前記弾球遊技機が設置される島設備に設置固定されたワイヤロック装置のワイヤ巻取機構から引き出したワイヤを巻き回して前記ワイヤの前端を前記作動部材の前記意匠枠を開錠する前記上方又は下方のいずれか一方の作動方向に沿って方向転換せしめる複数の滑車と、
これら複数の滑車に対応して複数設けられ、前方へ引き出すとともに前記各滑車のいずれか一方によりほぼ直角ないしそれ以上に曲げて方向転換せしめた前記ワイヤの前端を前記作動部材に連結する連結部と、を備え、
前記施錠装置を介して前記前面枠と前記島設備との間に前記ワイヤを架設するようになし、前記ワイヤ巻取機構部により巻取られた前記ワイヤの張力により前記作動部材の前記一方の作動方向への作動を阻止して前記意匠枠の開錠を規制するとともに、前記張力により前記前面枠と前記島設備との間で前面枠の開放移動を規制する不正防止構造を備えたことを特徴とする弾球遊技機。
【請求項２】
請求項１に記載の弾球遊技機において、
前記複数の滑車を、前記作動部材の上端寄りの位置および下端寄りの位置にそれぞれ設置せしめ、
前記各滑車に応じて、前記複数の連結部を、前記作動部材の上下位置に設置せしめたことを特徴とする弾球遊技機。
【手続補正２】
【補正対象書類名】明細書
【補正対象項目名】発明の名称
【補正方法】変更
【補正の内容】
【発明の名称】弾球遊技機
【手続補正３】
【補正対象書類名】明細書
【補正対象項目名】０００７
【補正方法】変更
【補正の内容】
【０００７】
請求項１に記載の発明は、
外枠と、該外枠の前面に開閉可能に設けられた前面枠と、該前面枠の前面に設けられ、前記前面枠と同一方向に開閉可能の意匠枠とを備え、前記前面枠の開放端に設けられた施錠装置により前記外枠と前記前面枠の開放端、および前記前面枠と前記意匠枠の開放端とをそれぞれ個別に施錠、開錠可能の弾球遊技機において、
前記施錠装置は、前記意匠枠の開放端に係脱可能に係合せしめて意匠枠を施錠するフックと、
前記外枠に係脱可能に係合せしめて前面枠を施錠するフックと、
前記前面枠の開放端に沿って上下方向に作動可能に設けられ、上方又は下方のいずれか一方の作動方向に作動せしめて前記意匠枠を施錠するフックの係合を解除せしめる一方、前記一方の作動方向とは逆方向に作動して前記前面枠を施錠するフックの係合を解除せしめる作動部材と、を有し、
前記作動部材を支持する前記施錠装置のベース部又は前記外枠の上下の所定位置それぞれに間隔をおいて設けられ、前記弾球遊技機が設置される島設備に設置固定されたワイヤロック装置のワイヤ巻取機構から引き出したワイヤを巻き回して前記ワイヤの前端を前記作動部材の前記意匠枠を開錠する前記上方又は下方のいずれか一方の作動方向に沿って方向転換せしめる複数の滑車と、
これら複数の滑車に対応して複数設けられ、前方へ引き出すとともに前記各滑車のいずれか一方によりほぼ直角ないしそれ以上に曲げて方向転換せしめた前記ワイヤの前端を前記作動部材に連結する連結部と、を備え、
前記施錠装置を介して前記前面枠と前記島設備との間に前記ワイヤを架設するようになし、前記ワイヤ巻取機構部により巻取られた前記ワイヤの張力により前記作動部材の前記一方の作動方向への作動を阻止して前記意匠枠の開錠を規制するとともに、前記張力により前記前面枠と前記島設備との間で前面枠の開放移動を規制する不正防止構造を備えた構成とする。
【手続補正４】
【補正対象書類名】明細書
【補正対象項目名】０００８
【補正方法】変更
【補正の内容】
【０００８】
請求項１の発明によれば、不正行為により意匠枠を開錠しようとしてもワイヤロック装置のワイヤの張力により作動部材が作動せず意匠枠の開錠を規制することができる。一方、不正行為により前面枠が開錠されても前面枠を開こうとするとワイヤが張って前面枠の開放を規制する。従って、一つのワイヤロック装置により前面枠および意匠枠が不正に開放されることを防ぎ、制御装置への不正処理や釘曲げといった不正行為を確実に防止することができる。
また前面枠の開放を規制する際に、ワイヤの張力を作動部材と滑車の２箇所で受けるので荷重を分散させることができ各部の荷重負担を軽減できる。
更にまた、滑車および連結部を複数箇所設けたので、ワイヤロック装置が島設備の上下方向のどの位置にあっても弾球遊技機側を変更することなく対応できる。
【手続補正５】
【補正対象書類名】明細書
【補正対象項目名】０００９
【補正方法】変更
【補正の内容】
【０００９】
請求項２に記載の発明は、
請求項１に記載の弾球遊技機において、
前記複数の滑車を、前記施錠装置のベース部又は前記外枠の上端寄りの位置および下端寄りの位置にそれぞれ設置せしめ、
前記各滑車に応じて、前記複数の連結部を、前記作動部材の上下位置に設置せしめる。
【手続補正６】
【補正対象書類名】明細書
【補正対象項目名】００１０
【補正方法】変更
【補正の内容】
【００１０】
請求項２の発明によれば、島設備の上下方向のどの位置のワイヤロック装置に対してより好適に対応できる。
【手続補正書】
【提出日】平成26年3月25日(2014.3.25)
【手続補正１】
【補正対象書類名】明細書
【補正対象項目名】０００８
【補正方法】変更
【補正の内容】
【０００８】
本発明は、
遊技機において、
遊技域に設けられた普通図柄始動口と、
普通図柄を表示するための普通図柄表示装置と、
前記普通図柄始動口に遊技球が入球したことに起因して前記普通図柄表示装置にて普通図柄の変動表示を行なう普通図柄変動手段と、
前記普通図柄始動口への入球に起因して乱数を発生させ、該乱数に基づいて前記普通図柄を決定し、当り図柄か否かの抽選を行う普通図柄抽選手段と、
前記遊技域に設けられ、前記普通図柄表示装置に確定表示された普通図柄が当り図柄の場合に開放されて入球可能な状態となる普通電動役物と、
該普通電動役物内に設けられた特別図柄始動口と、
特別図柄を表示するための特別図柄表示装置と、
前記特別図柄始動口に遊技球が入球したことに起因して前記特別図柄表示装置に確定表示する前記特別図柄を決定する特別図柄抽選手段と、
前記特別図柄が当り図柄の場合に前記遊技域に設けられた開閉可能な大入賞口を所定の態様で開放せしめて特別図柄の当り遊技を実行せしめる大入賞口開放手段と、
前記普通電動役物の開放から前記特別図柄の当り遊技までの遊技過程を連続して所定の回数実行せしめる連続遊技制御手段と、
前記特別図柄の当り遊技中に作動し、作動終了後には特別図柄の当り遊技終了後の遊技状態を、前記特別図柄始動口への遊技球の入球数があらかじめ定められた回数に至るまで前記普通図柄変動手段による前記普通図柄の変動表示の時間が短縮される時短状態に設定可能とする条件装置と、
前記普通図柄抽選手段により決定された普通図柄が当り図柄である場合には、その後に行なわれる普通図柄の変動表示の時間を、該普通図柄の変動の回数が所定の回数に至るまで短縮する変動時間短縮手段と、を備え、
前記普通図柄抽選手段は、前記乱数に応じて普通図柄の当り図柄を複数の当り図柄からひとつの図柄を決定するようになし、
前記変動時間短縮手段は、予め設定された基準時点での遊技状態が時短状態か否か及び前記決定された当り図柄に応じて短縮させる前記普通図柄の変動表示の時間を変化させる構成とする。
【手続補正２】
【補正対象書類名】明細書
【補正対象項目名】００１０
【補正方法】変更
【補正の内容】
【００１０】
また複数の当り図柄からひとつの普通図柄を決定するようになし、該普通図柄及び予め設定された基準時点での遊技状態が時短状態か否かに応じて、短縮させる普通図柄の変動表示の時間を変化させるので、普通図柄の変動表示の時間を多彩にでき、かつ普通図柄の当り図柄に応じて細かく普通図柄の変動表示の時間を設定することができる。例えば、普通図柄が或る当り図柄Ａとなった場合は、他の当り図柄Ｂとなった場合よりも変動時間の短縮の度合いを大きくしておくと、当り図柄Ａで当たった場合は、普通図柄の当り遊技の間隔および特別図柄の当り遊技の間隔が間延びする可能性を一層低くすることができる。
【手続補正３】
【補正対象書類名】明細書
【補正対象項目名】００４２
【補正方法】変更
【補正の内容】
【００４２】
図８に示すように、「変動フラグ設定処理」では、まずＳ４００の処理で、時短フラグを参照して遊技状態が時短でないか確認する(時短フラグが１のとき時短)。時短でなければ（Ｓ４００：ｙｅｓ）、前記Ｓ３０９の処理（図７）で決定された普図が「図柄１」であるか確認する（Ｓ４０１）。「図柄１」であれば（Ｓ４０１：ｙｅｓ）、変動設定フラグを１に設定する（Ｓ４０２）。
一方、「図柄１」でなければ（Ｓ４０１：ｎｏ）、変動設定フラグを２に設定する（Ｓ４０３）。
【手続補正４】
【補正対象書類名】明細書
【補正対象項目名】００４３
【補正方法】変更
【補正の内容】
【００４３】
Ｓ４００の処理において時短であれば（Ｓ４００：ｎｏ）、Ｓ４０４の処理で普図が「図柄１」であるか確認し、「図柄１」であれば（Ｓ４０４：ｙｅｓ）、変動設定フラグを３に設定する（Ｓ４０５）。
一方、「図柄１」でなければ（Ｓ４０４：ｎｏ）、変動設定フラグを４に設定する（Ｓ４０６）。
【手続補正５】
【補正対象書類名】明細書
【補正対象項目名】００８１
【補正方法】変更
【補正の内容】
【００８１】
なお、本発明は前記実施形態に限定されるものではなく、本発明の要旨を逸脱しない範囲でさまざまに実施できることは勿論である。例えば実施形態では普図の当り図柄を「図柄１，２」の２種類としたが、図柄を増やしてもよい。これによれば、前記特殊変動による変動時間、特殊変動の継続回数（普図作動回数）をより細かく設定することができる。
更に、変動パターンを設定するための遊技状態を確認する基準点を、普図の変動開始時に限らず、普図始動口への入球時、又は普図の図柄確定表示時に設定するようにしてもよい。
【手続補正書】
【提出日】平成26年3月13日(2014.3.13)
【手続補正１】
【補正対象書類名】特許請求の範囲
【補正対象項目名】請求項５
【補正方法】変更
【補正の内容】
【請求項５】
最前段の素子基板は、前記１素子基板分の記録素子に対応する記録データ信号転送毎に信号レベルが反転するチェック信号をさらに入力し、
各段の素子基板のエラー出力回路は、自らの素子基板で転送エラーがない場合は、前記１素子基板分の記録素子に対応する記録データ信号転送毎に信号レベルが反転するチェック信号をそのまま出力し、転送エラーが発生した場合は、前記チェック信号の信号レベルを反転させて出力することを特徴とする請求項１乃至４のいずれか１項に記載の記録ヘッド。
【手続補正書】
【提出日】平成26年4月21日(2014.4.21)
【手続補正１】
【補正対象書類名】明細書
【補正対象項目名】００３９
【補正方法】変更
【補正の内容】
【００３９】
従って粗粉飛び込み防止羽根１１２は、天板１０５の内周端部と内側遮断壁１１６と外側遮断壁１１７によって取り囲まれている。そして前記粗粉飛び込み防止羽根１１２と天板１０５の隙間、粗粉飛び込み防止羽根１１２と内側遮断壁１１６の隙間、粗粉飛び込み防止羽根１１２と外側遮断壁１１７の隙間は、それぞれ２０〜３０ｍｍ程度とされている。
また、内側遮断壁１１６には、周方向に沿って複数の縦スリット１１８が形成されている。
【手続補正２】
【補正対象書類名】特許請求の範囲
【補正対象項目名】請求項１３
【補正方法】変更
【補正の内容】
【請求項１３】
請求項２ないし６、または１０ないし１２のいずれか１項に記載の回転式分級機において、
前記回転分級フィンの径方向内側端と回転式分級機の回転中心を結ぶ仮想線に対して、当該回転分級フィンの径方向外側端が前記仮想線から離れるように、当該回転分級フィンの幅方向の向きが傾斜しており、
前記上部フィン、あるいは前記上側環状支持部材上の溝部と溝部の間に形成される突条の幅方向の向きが前記回転式分級機の回転中心に向いていることを特徴とする回転式分級機。
【手続補正書】
【提出日】平成25年11月27日(2013.11.27)
【手続補正１】
【補正対象書類名】明細書
【補正対象項目名】０００４
【補正方法】変更
【補正の内容】
【０００４】
アコーディオン風グロメットは、計器板からドアのパネルまで延びる電線を収納するために乗り物に設置されることがある。この場合、ドアが閉じられるとき、電線はグロメットの形状に影響を及ぼすことがある。グロメットの形状に影響を及ぼす電線の潜在力は、グロメットが長いとき、および／または、電線がねじられるとき、より大きいことがある。グロメットの形の変化は、ドアと隣接ボデーパネルの間のはさみ区域にグロメットを向けさせ、それは、最終的に電線に損傷を与えることがある。したがって、アコーディオン風グロメットの形状に影響を及ぼす能力が、乗り物とグロメットを使用する他の製品のある範囲で望まれることがある。
［先行技術文献］
米国特許第３，０８２，４７０号明細書
米国特許第３，７９４，０８０号明細書
米国特許第４，７９３，３８４号明細書
米国特許第４，８６５，３６２号明細書
米国特許第４，９０７，８３６号明細書
米国特許第５，４４８，０１７号明細書
米国特許第５，７１６，０４４号明細書
米国特許第５，９１１，４５０号明細書
米国特許第５，９５８，３１５号明細書
米国特許第６，０１５，９５２号明細書
米国特許第６，２７８，０６０号明細書
米国特許第６，５３４，７１３号明細書
米国特許第６，８４４，４９７号明細書
米国特許第６，９０１，６２７号明細書
米国特許第６，９３３，４３９号明細書
米国特許第７，０２０，９３１号明細書
米国特許第７，０５３，３０４号明細書
米国特許第７，０５３，３０５号明細書
米国特許第７，０５３，３１１号明細書
米国特許第７，０９８，４０２号明細書
米国特許第７，２４４，８９４号明細書
米国特許第７，２９７，８７４号明細書
米国特許第７，４２３，２２３号明細書
米国特許第７，６５９，４８０号明細書
米国特許第７，８３４，２７２号明細書
米国特許第７，９４３，８５４号明細書
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
振動を発生する振動子と、前記振動子により駆動される被駆動体と、前記振動子を保持する保持手段と、前記振動子を前記被駆動体に加圧する加圧手段とを備え、前記振動子の振動で前記被駆動体を駆動するモータにおいて、
前記保持手段は、前記振動子を保持する第１の保持部材と、前記振動子を前記被駆動体に対して加圧する第２の保持部材とで構成され、
前記第１の保持部材と前記第２の保持部材は、前記振動子と前記被駆動体の接触面に垂直な方向において、互いに移動可能であることを特徴とするモータ。
【請求項２】
振動を発生する振動子と、
前記振動子により駆動される被駆動体と、
前記振動子を保持する保持手段と、
前記振動子を前記被駆動体に加圧する加圧手段とを備え、
前記保持手段は、前記振動子を保持する第１の保持部材と、前記振動子を前記被駆動体に対して加圧する第２の保持部材とで構成され、
前記振動子と前記被駆動体の接触面に垂直な方向において、前記第２の保持部材は、前記第１の保持部材に対して相対的に移動可能であることを特徴とするモータ。
【請求項３】
振動を発生する振動子と、
前記振動子により駆動される被駆動体と、
前記振動子を保持する保持手段と、
前記振動子を前記被駆動体に加圧する加圧手段とを備え、
前記保持手段は、前記振動子を保持する第１の保持部材と、前記振動子を前記被駆動体に対して加圧する第２の保持部材とで構成され、
前記第１の保持部材は、前記振動子と前記被駆動体の接触面に相対的に傾斜可能であり、前記第２の保持部材は、前記振動子と前記被駆動体の接触面に垂直な方向において、相対的に移動可能であることを特徴とするモータ。
【請求項４】
前記第１の保持部材は前記振動子の両端近傍を保持し、前記第２の保持部材は前記振動子の中央付近を保持することを特徴とする請求項１乃至３のいずれか１項に記載のモータ。
【請求項５】
前記第１の保持部材は開口部を有し、前記開口部に前記第２の保持部材が配置されることを特徴とする請求項１乃至４のいずれか１項に記載のモータ。
【請求項６】
前記第２の保持部材より前記第１の保持部材の方が、前記振動子の振動に対する減衰が大きい材料により形成されることを特徴とする請求項１乃至５のいずれか１項に記載のモータ。
【請求項７】
前記第１の保持部材に比べて前記第２の保持部材が、より強度の高い材料により形成されることを特徴とする請求項６に記載のモータ。
【請求項８】
前記第１の保持部材、前記第２の保持部材および前記加圧手段を保持する基台を備え、前記第１の保持部材および前記第２の保持部材は、前記基台に対して傾斜可能であることを特徴とする請求項１乃至７のいずれか１項に記載のモータ。
【請求項９】
前記モータは、超音波モータであることを特徴とする請求項１乃至８のいずれか１項に記載のモータ。
【請求項１０】
前記振動子は、楕円運動を発生することを特徴とする請求項１乃至９のいずれか１項に記載のモータ。
【請求項１１】
請求項１乃至１０のいずれか１項に記載されたモータにより駆動されるレンズを有するレンズ鏡筒。
【手続補正２】
【補正対象書類名】明細書
【補正対象項目名】発明の名称
【補正方法】変更
【補正の内容】
【発明の名称】モータ
【手続補正３】
【補正対象書類名】明細書
【補正対象項目名】０００１
【補正方法】変更
【補正の内容】
【０００１】
本発明は、振動子に振動を発生させ、被駆動体に加圧した振動子を駆動するモータに関するものである。
【手続補正４】
【補正対象書類名】明細書
【補正対象項目名】０００５
【補正方法】変更
【補正の内容】
【０００５】
（発明の目的）
本発明の目的は、振動子に発生する振動により被駆動体を駆動するモータにおいて、簡単な構成で振動子を被駆動体に対して安定して加圧することが可能なモータを提供することである。
【手続補正５】
【補正対象書類名】明細書
【補正対象項目名】０００６
【補正方法】変更
【補正の内容】
【０００６】
上記目的を達成するために、本発明のモータは、振動を発生する振動子と、前記振動子により駆動される被駆動体と、前記振動子を保持する保持手段と、前記振動子を前記被駆動体に加圧する加圧手段とを備え、前記振動子の振動で前記被駆動体を駆動するモータにおいて、前記保持手段は、前記振動子を保持する第１の保持部材と、前記振動子を前記被駆動体に対して加圧する第２の保持部材とで構成され、前記第１の保持部材と前記第２の保持部材は、前記振動子と前記被駆動体の接触面に垂直な方向において、互いに移動可能であることを特徴とするものである。
また、本発明のモータは、振動を発生する振動子と、前記振動子により駆動される被駆動体と、前記振動子を保持する保持手段と、前記振動子を前記被駆動体に加圧する加圧手段とを備え、前記保持手段は、前記振動子を保持する第１の保持部材と、前記振動子を前記被駆動体に対して加圧する第２の保持部材とで構成され、前記振動子と前記被駆動体の接触面に垂直な方向において、前記第２の保持部材は、前記第１の保持部材に対して相対的に移動可能であることを特徴とするものである。
また、本発明のモータは、振動を発生する振動子と、前記振動子により駆動される被駆動体と、前記振動子を保持する保持手段と、前記振動子を前記被駆動体に加圧する加圧手段とを備え、前記保持手段は、前記振動子を保持する第１の保持部材と、前記振動子を前記被駆動体に対して加圧する第２の保持部材とで構成され、前記第１の保持部材は、前記振動子と前記被駆動体の接触面に相対的に傾斜可能であり、前記第２の保持部材は、前記振動子と前記被駆動体の接触面に垂直な方向において、相対的に移動可能であることを特徴とするものである。
【手続補正６】
【補正対象書類名】明細書
【補正対象項目名】０００７
【補正方法】変更
【補正の内容】
【０００７】
本発明によれば、振動子に発生する振動により被駆動体を駆動するモータにおいて、簡単な構成で振動子を被駆動体に対して安定して加圧することが可能である。
【手続補正書】
【提出日】平成26年2月28日(2014.2.28)
【手続補正１】
【補正対象書類名】特許請求の範囲
【補正対象項目名】請求項１
【補正方法】変更
【補正の内容】
【請求項１】
始動入賞口に遊技球が入賞したことを契機に乱数の値を取得する乱数取得手段と、
始動入賞口に遊技球が入賞する毎に前記乱数取得手段が取得した乱数の値を記憶することにより図柄変動ゲームの実行を保留するゲーム保留記憶手段と、
前記ゲーム保留記憶手段に図柄変動ゲームの実行が保留されているときに当該実行が保留されている図柄変動ゲームを実行するゲーム実行手段と、
前記ゲーム保留記憶手段に図柄変動ゲームの実行が保留されたとき、予め決められた演出態様の第１演出を実行するか否かを判定する第１演出判定手段と、
前記第１演出判定手段の判定結果が肯定となった場合、次に実行が開始される図柄変動ゲームから前記第１演出判定手段の判定結果を肯定とした図柄変動ゲームまで、前記第１演出を演出実行手段に実行させる第１演出制御手段と、
図柄変動ゲームにおいて、図柄の変動開始から変動停止までを１回とする変動サイクルを行う回数を決定する変動サイクル回数決定手段と、
前記第１演出が行われない図柄変動ゲームの実行を開始するとき、当該図柄変動ゲームにおける変動サイクルの回数として前記変動サイクル回数決定手段が複数回を決定している場合には、第２演出を行うか否かを判定する第２演出判定手段と、
前記第２演出判定手段の判定結果が肯定の場合、図柄変動ゲームにおける各変動サイクルにて前記第１演出と類似又は同一の演出態様の第２演出を前記演出実行手段に実行させる第２演出制御手段と、
前記第１演出が行われない図柄変動ゲームの実行を開始するとき、当該図柄変動ゲームにおける変動サイクルの回数として前記変動サイクル回数決定手段が１回を決定している場合には、第３演出を行うか否かを判定する第３演出判定手段と、
前記第３演出判定手段の判定結果が肯定の場合、図柄変動ゲームにて前記第１演出や第２演出とは演出態様が異なる第３演出を前記演出実行手段に実行させる第３演出制御手段と、を備えたことを特徴とする遊技機。
【手続補正２】
【補正対象書類名】特許請求の範囲
【補正対象項目名】請求項３
【補正方法】変更
【補正の内容】
【請求項３】
前記第３演出内容決定手段は、
前記第３演出を実行させる図柄変動ゲームの変動時間が特定変動時間であるときには、実行させる第３演出の演出内容として前記示唆内容を含む複数種類の演出内容の中から演出内容を決定する一方で、前記第３演出を実行させる図柄変動ゲームの変動時間が前記特定変動時間よりも短い短縮変動時間であるときには、実行させる第３演出の演出内容として前記示唆内容以外の演出内容を決定することを特徴とする請求項２に記載の遊技機。
【手続補正３】
【補正対象書類名】明細書
【補正対象項目名】０００６
【補正方法】変更
【補正の内容】
【０００６】
上記問題点を解決するために、請求項１に記載の発明は、始動入賞口に遊技球が入賞したことを契機に乱数の値を取得する乱数取得手段と、始動入賞口に遊技球が入賞する毎に前記乱数取得手段が取得した乱数の値を記憶することにより図柄変動ゲームの実行を保留するゲーム保留記憶手段と、前記ゲーム保留記憶手段に図柄変動ゲームの実行が保留されているときに当該実行が保留されている図柄変動ゲームを実行するゲーム実行手段と、前記ゲーム保留記憶手段に図柄変動ゲームの実行が保留されたとき、予め決められた演出態様の第１演出を実行するか否かを判定する第１演出判定手段と、前記第１演出判定手段の判定結果が肯定となった場合、次に実行が開始される図柄変動ゲームから前記第１演出判定手段の判定結果を肯定とした図柄変動ゲームまで、前記第１演出を演出実行手段に実行させる第１演出制御手段と、図柄変動ゲームにおいて、図柄の変動開始から変動停止までを１回とする変動サイクルを行う回数を決定する変動サイクル回数決定手段と、前記第１演出が行われない図柄変動ゲームの実行を開始するとき、当該図柄変動ゲームにおける変動サイクルの回数として前記変動サイクル回数決定手段が複数回を決定している場合には、第２演出を行うか否かを判定する第２演出判定手段と、前記第２演出判定手段の判定結果が肯定の場合、図柄変動ゲームにおける各変動サイクルにて前記第１演出と類似又は同一の演出態様の第２演出を前記演出実行手段に実行させる第２演出制御手段と、前記第１演出が行われない図柄変動ゲームの実行を開始するとき、当該図柄変動ゲームにおける変動サイクルの回数として前記変動サイクル回数決定手段が１回を決定している場合には、第３演出を行うか否かを判定する第３演出判定手段と、前記第３演出判定手段の判定結果が肯定の場合、図柄変動ゲームにて前記第１演出や第２演出とは演出態様が異なる第３演出を前記演出実行手段に実行させる第３演出制御手段と、を備えたことを要旨とする。
【手続補正４】
【補正対象書類名】明細書
【補正対象項目名】０００８
【補正方法】変更
【補正の内容】
【０００８】
請求項３に記載の発明は、請求項２に記載の遊技機において、前記第３演出内容決定手段は、前記第３演出を実行させる図柄変動ゲームの変動時間が特定変動時間であるときには、実行させる第３演出の演出内容として前記示唆内容を含む複数種類の演出内容の中から演出内容を決定する一方で、前記第３演出を実行させる図柄変動ゲームの変動時間が前記特定変動時間よりも短い短縮変動時間であるときには、実行させる第３演出の演出内容として前記示唆内容以外の演出内容を決定することを要旨とする。
【手続補正書】
【提出日】平成26年2月28日(2014.2.28)
【手続補正１】
【補正対象書類名】特許請求の範囲
【補正対象項目名】請求項３
【補正方法】変更
【補正の内容】
【請求項３】
遊技者が操作可能な操作手段と、
図柄変動ゲームを含む表示演出を表示する表示装置と、
前記表示装置の表示内容を制御する表示制御手段と、
音声の出力によって音声演出を行うスピーカと、
前記スピーカの出力内容を制御する音声制御手段と、を備え、
前記スピーカから出力される音声には、前記図柄変動ゲームにおいてリーチ演出が実行されるまでの間に出力される楽曲を含むとともに、前記音声制御手段は、複数種類の楽曲を出力させる制御を実行することができ、
前記操作手段の操作によって前記スピーカから出力される前記楽曲を切り替えることが許容されている許容期間を有し、前記許容期間には、前記図柄変動ゲームにおいて前記リーチ演出が実行されるまでに図柄が変動しているときを含み、
前記許容期間中に前記操作手段が操作されたことを契機に、前記音声制御手段は前記スピーカから出力させる前記楽曲を切り替えるとともに、前記表示制御手段は前記楽曲の切り替えに合わせて前記表示装置にて図柄の背面に表示される背景画像を切り替えることを特徴とする遊技機。
【手続補正２】
【補正対象書類名】特許請求の範囲
【補正対象項目名】請求項４
【補正方法】変更
【補正の内容】
【請求項４】
前記音声制御手段は、前記許容期間の終了によって前記楽曲を切り替えるとともに、
前記表示制御手段は、前記許容期間の終了によって前記背景画像を切り替えることを特徴とする請求項３に記載の遊技機。
【手続補正３】
【補正対象書類名】特許請求の範囲
【補正対象項目名】請求項５
【補正方法】変更
【補正の内容】
【請求項５】
前記スピーカから出力される前記楽曲を切り替えることが禁止されている禁止期間をさらに有することを特徴とする請求項３又は請求項４に記載の遊技機。
【手続補正４】
【補正対象書類名】明細書
【補正対象項目名】０００８
【補正方法】変更
【補正の内容】
【０００８】
請求項３に記載の発明は、遊技者が操作可能な操作手段と、図柄変動ゲームを含む表示演出を表示する表示装置と、前記表示装置の表示内容を制御する表示制御手段と、音声の出力によって音声演出を行うスピーカと、前記スピーカの出力内容を制御する音声制御手段と、を備え、前記スピーカから出力される音声には、前記図柄変動ゲームにおいてリーチ演出が実行されるまでの間に出力される楽曲を含むとともに、前記音声制御手段は、複数種類の楽曲を出力させる制御を実行することができ、前記操作手段の操作によって前記スピーカから出力される前記楽曲を切り替えることが許容されている許容期間を有し、前記許容期間には、前記図柄変動ゲームにおいて前記リーチ演出が実行されるまでに図柄が変動しているときを含み、前記許容期間中に前記操作手段が操作されたことを契機に、前記音声制御手段は前記スピーカから出力させる前記楽曲を切り替えるとともに、前記表示制御手段は前記楽曲の切り替えに合わせて前記表示装置にて図柄の背面に表示される背景画像を切り替えることを要旨とする。
【手続補正５】
【補正対象書類名】明細書
【補正対象項目名】０００９
【補正方法】変更
【補正の内容】
【０００９】
請求項４に記載の発明は、請求項３に記載の遊技機において、前記音声制御手段は、前記許容期間の終了によって前記楽曲を切り替えるとともに、前記表示制御手段は、前記許容期間の終了によって前記背景画像を切り替えることを要旨とする。
【手続補正６】
【補正対象書類名】明細書
【補正対象項目名】００１０
【補正方法】変更
【補正の内容】
【００１０】
請求項５に記載の発明は、請求項３又は請求項４に記載の遊技機において、前記スピーカから出力される前記楽曲を切り替えることが禁止されている禁止期間をさらに有することを要旨とする。
【手続補正７】
【補正対象書類名】明細書
【補正対象項目名】０１４３
【補正方法】変更
【補正の内容】
【０１４３】
次に、上記実施形態及び別例から把握できる技術的思想を以下に追記する。
（イ）前記操作手段の操作を有効として受け付ける受付期間が設定されていることを報知する報知手段を備えた。この場合、演出用操作ボタンＢＴの操作を有効として受け付ける操作有効期間が、受付期間に相当する。また、操作有効期間が設定されている期間中、演出表示装置１１にて、演出用操作ボタンＢＴの操作を促す画像が表示されるため、演出表示装置１１が報知手段として機能する。
【手続補正８】
【補正対象書類名】明細書
【補正対象項目名】０１４４
【補正方法】変更
【補正の内容】
【０１４４】
（ロ）前記選択手段によって選択される楽曲の長さは、複数回の図柄変動ゲームに跨る長さである。
（ハ）前記楽曲データ選択手段による楽曲データの選択は、通常変動で行われる図柄変動ゲーム中に行われる。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
塗工処理液を印刷媒体上へ塗布した後、色材および溶剤を少なくとも含んでなる油性インクにより該印刷媒体上に印刷を行う印刷方法において、前記塗工処理液は、無機粒子、塩化ビニル系樹脂エマルション、及び、水を少なくとも含んでなる油性インク印刷方法。
【請求項２】
前記無機粒子は、シリカである請求項１に記載の印刷方法。
【請求項３】
前記塗工処理液の塗工量は、無機粒子量換算にて２．０〜６．０ｇ／ｍ２である請求項１又は２に記載の印刷方法。
【請求項４】
塗工処理液を印刷媒体上へ塗布した後、油性インクにより該印刷媒体上に印刷を行うために使用するインクセットであって、色材および溶剤を少なくとも含んでなる油性インクと、無機粒子、塩化ビニル系樹脂エマルション、及び、水を少なくとも含んでなる塗工処理液とからなるインクセット。
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
遊技者による開始操作が行われることに基づいて複数列の図柄を変動させる遊技が図柄表示装置で開始され、前記図柄表示装置に表示結果が導出されることにより１回の遊技が終了し、前記図柄表示装置の表示結果に応じて入賞が発生可能とされる遊技機において、
遊技状態を制御する手段であって、第１の移行条件が成立したときに第１特殊遊技状態に制御し、前記第１特殊遊技状態において第２の移行条件が成立したときに第２特殊遊技状態に制御する遊技状態制御手段と、
演出の制御を行う演出制御手段と、を備え、
前記演出制御手段は、
前記第１特殊遊技状態における報知期間と前記第２特殊遊技状態で遊技者にとって有利となる有利情報を報知するための制御を行う手段であって、前記第１特殊遊技状態における前記報知期間で前記第２の移行条件が成立されうるときに該第２の移行条件が成立されなかった場合に前記有利情報の報知を行わない報知規制状態に制御する報知制御手段と、
前記報知規制状態における前記遊技で前記図柄表示装置に表示結果が導出された後に前記報知規制状態中であることを報知するための制御を行う報知規制制御手段と、を備えたことを特徴とする遊技機。
【請求項２】
前記演出制御手段は、前記報知規制状態における前記遊技で前記第２の移行条件が成立されうる旨を報知するための制御を行う条件報知制御手段を備えている請求項１に記載の遊技機。
【請求項３】
前記遊技状態制御手段は、前記第１特殊遊技状態において特殊入賞の発生を許容する特殊入賞役の決定がなされたときに特定の操作が行われて第１の表示結果が導出された場合に前記第２の移行条件の成立として前記第２特殊遊技状態に制御するようになっており、
前記報知制御手段は、前記第１特殊遊技状態における前記報知期間で前記特殊入賞役の決定がなされたときに前記特定の操作以外の操作が行われて前記第１の表示結果とは異なる第２の表示結果が導出された場合に前記報知規制状態に制御し、
前記条件報知制御手段は、前記報知規制状態における前記遊技で前記特殊入賞役の決定がなされた旨を報知するための制御を行い、該報知に際し遊技者に前記第１の表示結果を導出させるように操作することを促す報知を行う請求項２に記載の遊技機。
【手続補正２】
【補正対象書類名】明細書
【補正対象項目名】０００９
【補正方法】変更
【補正の内容】
【０００９】
上記目的を達成するために請求項１に記載の発明は、遊技者による開始操作が行われることに基づいて複数列の図柄を変動させる遊技が図柄表示装置で開始され、前記図柄表示装置に表示結果が導出されることにより１回の遊技が終了し、前記図柄表示装置の表示結果に応じて入賞が発生可能とされる遊技機において、遊技状態を制御する手段であって、第１の移行条件が成立したときに第１特殊遊技状態に制御し、前記第１特殊遊技状態において第２の移行条件が成立したときに第２特殊遊技状態に制御する遊技状態制御手段と、演出の制御を行う演出制御手段と、を備え、前記演出制御手段は、前記第１特殊遊技状態における報知期間と前記第２特殊遊技状態で遊技者にとって有利となる有利情報を報知するための制御を行う手段であって、前記第１特殊遊技状態における前記報知期間で前記第２の移行条件が成立されうるときに該第２の移行条件が成立されなかった場合に前記有利情報の報知を行わない報知規制状態に制御する報知制御手段と、前記報知規制状態における前記遊技で前記図柄表示装置に表示結果が導出された後に前記報知規制状態中であることを報知するための制御を行う報知規制制御手段と、を備えたことを要旨とする。
【手続補正３】
【補正対象書類名】明細書
【補正対象項目名】００１０
【補正方法】変更
【補正の内容】
【００１０】
請求項２に記載の発明は、請求項１に記載の遊技機において、前記演出制御手段は、前記報知規制状態における前記遊技で前記第２の移行条件が成立されうる旨を報知するための制御を行う条件報知制御手段を備えていることを要旨とする。
【手続補正４】
【補正対象書類名】明細書
【補正対象項目名】００１１
【補正方法】変更
【補正の内容】
【００１１】
請求項３に記載の発明は、請求項２に記載の遊技機において、前記遊技状態制御手段は、前記第１特殊遊技状態において特殊入賞の発生を許容する特殊入賞役の決定がなされたときに特定の操作が行われて第１の表示結果が導出された場合に前記第２の移行条件の成立として前記第２特殊遊技状態に制御するようになっており、前記報知制御手段は、前記第１特殊遊技状態における前記報知期間で前記特殊入賞役の決定がなされたときに前記特定の操作以外の操作が行われて前記第１の表示結果とは異なる第２の表示結果が導出された場合に前記報知規制状態に制御し、前記条件報知制御手段は、前記報知規制状態における前記遊技で前記特殊入賞役の決定がなされた旨を報知するための制御を行い、該報知に際し遊技者に前記第１の表示結果を導出させるように操作することを促す報知を行うことを要旨とする。
【手続補正５】
【補正対象書類名】明細書
【補正対象項目名】０３０２
【補正方法】変更
【補正の内容】
【０３０２】
（イ）前記特殊遊技状態には、通常遊技状態と、前記通常遊技状態から移行される有利準備遊技状態と、前記有利準備遊技状態から移行される前記通常遊技状態よりも遊技者にとって有利な有利遊技状態と、を含み、前記遊技状態制御手段は、前記特殊準備遊技状態において前記特殊準備時移行条件が成立したときに前記有利準備遊技状態に制御し、前記通常遊技状態において通常時移行条件が成立したときに前記有利準備遊技状態に制御し、前記有利準備遊技状態において準備時移行条件が成立したときに前記通常遊技状態又は前記有利遊技状態に制御し、前記有利遊技状態において所定回数の遊技を行うことにより前記有利準備遊技状態に制御し、前記有利遊技状態から前記特別遊技状態へと制御する場合には該特別遊技状態の終了後に前記特殊準備遊技状態に制御するようになっており、前記報知制御手段は、前記有利準備遊技状態における有利準備遊技報知期間と前記有利遊技状態で前記有利情報を報知する。
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
被測定者が乗るベースと、
前記ベースから上方に延びたコラムと、
前記コラムに支承されるカーソルとを備え、
前記カーソルは、前記コラムへの支承部から延びた延出部を備え、
前記延出部は、被測定者の頭部に接触する接触部を備え、
前記延出部の根元より上側及び下側の何れにも前記接触部を位置させられるよう構成されていることを特徴とする身長計。
【請求項２】
前記延出部は、前記支承部から前記コラムの側方に斜めに延びた傾斜部と、前記傾斜部から水平方向に延びた前記接触部とを備え、
前記支承部は、前記傾斜部の付け根よりも上側及び下側の何れかに前記接触部を位置させて、前記コラムに支承されるよう構成されていることを特徴とする請求項１に記載の身長計。
【請求項３】
前記カーソル及び前記コラムの少なくとも一方には、前記接触部が前記延出部の根元より上側及び下側の何れに位置しているかを検知し、前記被測定者の身長の算出手段に検知結果を出力する検知手段が設けられていることを特徴とする請求項１又は２に記載の身長計。
【請求項４】
前記接触部が前記延出部の根元より上側及び下側の何れに位置しているかを、前記被測定者の身長の算出手段に入力する入力手段が設けられていることを特徴とする請求項１又は２に記載の身長計。
【請求項５】
前記カーソルは、前記コラムに摺動可能に支承されていることを特徴とする請求項１〜４の何れかに記載の身長計。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
絶縁表面上の、ゲート電極と、
Ｓｉ元素を含む酸化物半導体層と、
前記ゲート電極と、前記酸化物半導体層との間の絶縁層とを有し、
前記Ｓｉ元素を含む酸化物半導体層と、ソース電極層との間に、ソース領域を有し、
前記Ｓｉ元素を含む酸化物半導体層と、ドレイン電極層との間に、ドレイン領域を有し、
前記ソース領域は、酸窒化物材料を有し、
前記ドレイン領域は、酸窒化物材料を有することを特徴とする半導体装置。
【請求項２】
絶縁表面上の、ゲート電極と、
Ｓｉ元素を含む酸化物半導体層と、
前記ゲート電極と、前記酸化物半導体層との間の絶縁層とを有し、
前記Ｓｉ元素を含む酸化物半導体層と、ソース電極層との間に、ソース領域を有し、
前記Ｓｉ元素を含む酸化物半導体層と、ドレイン電極層との間に、ドレイン領域を有し、
前記ソース領域は、Ｓｉ元素を含まない酸化物半導体層を有し、
前記ドレイン領域は、Ｓｉ元素を含まない酸化物半導体層を有することを特徴とする半導体装置。
【請求項３】
絶縁表面上の、ゲート電極と、
Ｓｉ元素を含む酸化物半導体層と、
前記ゲート電極と、前記酸化物半導体層との間の絶縁層と、
前記Ｓｉ元素を含む酸化物半導体層と電気的に接続された、ソース電極と、
前記Ｓｉ元素を含む酸化物半導体層と電気的に接続された、ドレイン電極とを有し、
前記Ｓｉ元素を含む酸化物半導体層と、前記ソース電極との間には、Ｓｉ元素を含まない領域を有し、
前記Ｓｉ元素を含む酸化物半導体層と、前記ドレイン電極との間には、Ｓｉ元素を含まない領域を有することを特徴とする半導体装置。
【請求項４】
請求項１乃至請求項３のいずれか一において、
前記Ｓｉ元素を含む酸化物半導体層は、錫を含むことを特徴とする半導体装置。
【請求項５】
請求項１乃至請求項４のいずれか一において、
前記Ｓｉ元素を含む酸化物半導体層は、亜鉛を含むことを特徴とする半導体装置。
【手続補正書】
【提出日】平成26年5月26日(2014.5.26)
【手続補正１】
【補正対象書類名】明細書
【補正対象項目名】００１３
【補正方法】変更
【補正の内容】
【００１３】
【図１】本発明に係るブラスト装置の一例を示す部分断面図である。
【図２】図１に示す直噴ノズルの部分拡大断面図である。
【図３】本発明に係るブラスト用ノズルを用いた被加工物の孔内付着物の剥離掃除方法を説明する部分断面図である。
【図４】側噴ノズルを併用した被加工物の孔内付着物の剥離掃除方法を説明する部分断面図である。
【図５】直噴ノズルの噴射口の噴射範囲を測定する測定方法を説明する説明図である。
【図６】図５で測定した噴射範囲から直噴ノズルの噴射角を求める方法を説明する説明図である。
【図７】混合噴射材の噴射範囲を測定した種々の直噴ノズルの部分拡大断面図である。
【手続補正２】
【補正対象書類名】図面
【補正対象項目名】図５
【補正方法】変更
【補正の内容】
【図５】
2014069249.tif 000001
【手続補正３】
【補正対象書類名】図面
【補正対象項目名】図６
【補正方法】変更
【補正の内容】
【図６】
2014069249.tif 000002
【手続補正書】
【提出日】平成26年4月4日(2014.4.4)
【手続補正１】
【補正対象書類名】明細書
【補正対象項目名】００２４
【補正方法】変更
【補正の内容】
【００２４】
図１に戻って、ローラユニット１４Ｃは、通路１６内においてローラユニット１４Ｂの下流側に位置し、通路１６の天井側に取り付けられている。ローラユニット１４Ｃは、ローラ支持部２２Ｃと、ワークロール２４Ｃと、一対のバックアップロール２６Ｃとを有する。ローラ支持部２２Ｃは、ワークロール２４Ｃ及び一対のバックアップロール２６Ｃを回転可能に支持する。
【手続補正２】
【補正対象書類名】明細書
【補正対象項目名】００３５
【補正方法】変更
【補正の内容】
【００３５】
ワークロール２４Ａ〜２４Ｆの表面におけるショア硬さは、例えばＨＳ８３〜ＨＳ９２程度に設定することができる。ワークロール２４Ａ〜２４Ｆの表面におけるショア硬さがＨＳ８３未満であると、スケールや異物によってワークロール２４Ａ〜２４Ｆの表面が大きく摩耗したり、スケールや異物に対するワークロール２４Ａ〜２４Ｆの耐衝撃荷重が低くなる傾向にある。ワークロール２４Ａ〜２４Ｆの表面におけるショア硬さがＨＳ９２を超えると、ワークロール２４Ａ〜２４Ｆの表面の靱性が不十分となり、スケールや異物から受ける衝撃に弱くなるので、ワークロール２４Ａ〜２４Ｆの表面の一部が欠けて脱落する現象が増加する傾向にある。ワークロール２４Ａ〜２４Ｆの内部におけるショア硬さは、ＨＳ３６〜ＨＳ４０程度に設定することができる。
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
樹脂製の第１部材（１５・５５・６０）及び第２部材（１６・５６・６１）をクリップ（４０・５０・７０）で連結してなる車両部品の連結構造において、
前記第１部材（１５・５５・６０）及び第２部材（１６・５６・６１）はそれぞれ車両へ締結されるとともに、
前記第１部材は、短辺（２７ａ）と長辺（２７ｂ）を有する矩形の貫通穴（２７・５７・６７）を備え、
前記第２部材は、前記貫通穴を貫通するゲート（３８・５８・６８）を備え、
このゲートは、前記第２部材の表面から突出する一対の足部（３８ａ・６８ａ）と、これら足部の突出先端部相互を連結した頂部（３８ｂ・６８ｂ）とからなるコ字状をなし、
前記貫通穴を貫通するとき、前記一対の足部（３８ａ・６８ａ）が前記貫通穴の短辺（２７ａ・６７ａ）に沿って配置されるように設けられ、
前記クリップ（４０・５０・７０）は、前記貫通穴（２７・５７・６７）に前記ゲート（３８・５８・６８）を貫通させた状態で、前記貫通穴とゲートに係合して前記第１部材及び第２部材を連結し、
前記第１部材及び第２部材が、それぞれ車両の一部を覆う、第１カウル（１５）と第２カウル（１６）であり、
前記第１カウル（１５）及び第２カウル（１６）は、鞍乗り型車両の車体側面に配置されたタンクカウル（１４）を構成し、
前記第１カウル（１５）と第２カウル（１６）とを前後に配置するとともに、
前記クリップ（４０）による連結部（１４ｂ）を車両上下方向となるように配置し、この連結部（１４ｂ）の上方及び下方に前記第１カウル（１５）及び第２カウル（１６）を車両へ締結するための締結部（２２・２４・３２）を配置するとともに、
前記鞍乗り型車両は、前記タンクカウル（１４）の下方において車体フレーム（１）にエンジン（８）を支持し、
このエンジン（８）のシリンダ軸線（ＣＬ）が前記貫通穴（２７）の長辺（２７ｂ）と略平行に配置される
ことを特徴とする車両部品の連結構造。
【請求項２】
前記第１カウル（１５）と第２カウル（１６）を、それぞれ車両へ締結するとともに、少なくとも一方の締結部（２２・２４・３２）を複数としたことを特徴とする請求項１に記載した車両部品の連結構造。
【請求項３】
前記締結部（２２・２４・３２）は、ねじ締結又は差し込み締結であることを特徴とする請求項３に記載した車両部品の連結構造。
【請求項４】
前記連結部近傍にて前記各第１カウルと第２カウルの合わせ部に形成される合わせライン（１４ａ・６９）は直線状部を備え、この直線状部を前記貫通穴２７の長辺（２７ｂ）と平行に配置したことを特徴とする請求項１、３又は４のいずれかに記載した車両部品の連結構造。
【手続補正２】
【補正対象書類名】明細書
【補正対象項目名】０００７
【補正方法】変更
【補正の内容】
【０００７】
さらに請求項２の発明は、上記請求項１において、前記第１カウルと第２カウルは、それぞれ車両へ締結するとともに、少なくとも一方の締結部を複数としたことを特徴とする。
【手続補正３】
【補正対象書類名】明細書
【補正対象項目名】０００８
【補正方法】変更
【補正の内容】
【０００８】
請求項３の発明は、上記請求項２において、前記締結部は、ねじ締結又は差し込み締結であることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項６は、上記請求項１から３において、前記連結部近傍に第１カウルと第２カウルの合わせ部に形成される合わせラインは直線状部を備え、この直線状部を前記貫通穴の長辺と平行に配置したことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
請求項１の発明によれば、第１部材と第２部材をそれぞれ車両へ締結したので、連結部へ加わる応力を軽減できる。このため、クリップも小型化できる。
また、ゲートの貫通穴から突出した部分へクリップを差し込むだけで済むので、簡易な連結構造になり、メンテナンス性を良好にする。
また、カウルを前後に分割することで、傷のつきやすいニーグリップ部のみ交換できるようにしつつ、走行風に耐えうるカウル締結構造としながら連結部を良好な位置に配置することができる。
しかも、第１カウルと第２カウルの連結部を車両の上下方向に配置し、この連結部の上方及び下方を車両へ締結することにより、第１カウルと第２カウルの回動をより確実に阻止し、連結部に対する応力をより低減させることができる。
さらに、エンジンの一次振動に対して、貫通穴の長辺を平行に配置したので、エンジンの一次振動をゲートの足部で受けるようにして、クリップによる連結部の摩耗を低減することができ、クリップの交換周期を長くする。
【手続補正１０】
【補正対象書類名】明細書
【補正対象項目名】００１５
【補正方法】変更
【補正の内容】
【００１５】
また、第１カウルと第２カウルの連結構造を簡易なものとすることができ、かつカウルを小型化することができる。
【手続補正１１】
【補正対象書類名】明細書
【補正対象項目名】００１６
【補正方法】変更
【補正の内容】
【００１６】
請求項２の発明によれば、第１カウルと第２カウルそれぞれの走行風による回動を阻止でき、連結部にかかる応力をさらに小さくして連結部及びカウルの小型化を図ることができる。
【手続補正１２】
【補正対象書類名】明細書
【補正対象項目名】００１７
【補正方法】変更
【補正の内容】
【００１７】
請求項３の発明によれば、締結部をネジ締結又は差し込み締結としたので、第１カウル及び第２カウルの締結を良好とすることができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項４の発明によれば、合わせラインの直線状部と平行に貫通穴の長手方向を配置することにより、合わせ部における重なり合う等の連結必要部を小さくしてカウルを小型化することができる。
また、カウル外面から連結部を開くような応力がかかった場合でも、連結部のずれを貫通穴の長手方向で受けることで、貫通穴にかかる応力を小さくすることができる。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】